(57)【特許請求の範囲】
【請求項１】
入力される画像データに基づく画像を表示する表示パネルを備えた画像表示装置であって、
画像表示装置の外部から前記表示パネルを透過して入射する光の輝度及び色度の少なくともいずれかを測定する測定手段と、
所定の基準光源の光を入射させたときの前記測定手段による測定値を基準値として記憶する記憶手段と、
他の画像表示装置と通信する通信手段と、
画像表示装置のキャリブレーションを行うキャリブレーション手段と、
前記キャリブレーション手段を第１動作モードで動作させることが可能な制御手段と、を備え、
前記第１動作モードでは、前記キャリブレーション手段は、前記基準光源の輝度及び色度に対応する所定の測定用画像を表示した状態の他の画像表示装置の画面からの光を入射させたときの前記測定手段による測定値を取得し、当該測定値と前記基準値との差分を算出し、前記差分に基づき前記他の画像表示装置が前記他の画像表示装置のキャリブレーションを行うために必要なデータを前記通信手段を用いて前記他の画像表示装置へ送信する画像表示装置。
【請求項２】
前記制御手段は、前記キャリブレーション手段を第２動作モードで動作させることが可能であって、
前記第２動作モードでは、前記キャリブレーション手段は、前記画像表示装置のキャリブレーションを行うために必要なデータを前記通信手段を用いて他の画像表示装置から取得し、当該取得したデータに基づき前記画像表示装置のキャリブレーションを行う、請求項１に記載の画像表示装置。
【請求項３】
第１動作モードにおいて、前記キャリブレーション手段は、測定用画像の表示を指示する命令を前記通信手段を用いて他の画像表示装置へ送信する請求項１又は２に記載の画像表示装置。
【請求項４】
第２動作モードにおいて、前記キャリブレーション手段は、測定用画像の表示を指示する命令を前記通信手段を用いて他の画像表示装置から受け取り、当該測定用画像を前記表
示パネルに表示させる請求項２に記載の画像表示装置。
【請求項５】
前記記憶手段は、輝度又は色度の少なくともいずれかが異なる複数の基準光源の各々に対応する基準値を記憶しており、
第１動作モードにおいて、前記キャリブレーション手段は、前記複数の基準光源の各々について、測定用画像の表示を指示する命令を前記通信手段を用いて他の画像表示装置へ送信し、当該測定用画像を表示した状態の他の画像表示装置の画面からの光を入射させたときの前記測定手段による測定値と、当該基準光源に対応する基準値と、の差分を算出し、各基準光源の各々についての前記差分に基づき前記他の画像表示装置が前記他の画像表示装置のキャリブレーションを行うために必要なデータを前記通信手段を用いて前記他の画像表示装置へ送信する請求項１〜４のいずれか１項に記載の画像表示装置。
【請求項６】
前記基準値は、前記基準光源の発光面と前記表示パネルの表示面とを近接させ対向させた状態で前記測定手段により測定された測定値であり、
第１動作モードにおいて、前記キャリブレーション手段は、前記測定用画像を表示した状態の他の画像表示装置の表示面と前記表示パネルの表示面とを近接させ対向させた状態で前記測定手段により測定された測定値と前記基準値との差分を算出する請求項１〜５のいずれか１項に記載の画像表示装置。
【請求項７】
前記表示パネルの表示面と他の画像表示装置の表示面とが近接して対向したことを検知する検知手段を備え、
前記制御手段は、前記検知手段により他の画像表示装置の表示面と前記表示パネルの表示面とが近接して対向したことを検知した場合に前記キャリブレーション手段を動作させる請求項１〜６のいずれか１項に記載の画像表示装置。
【請求項８】
キャリブレーションの進捗状況を通知する通知手段を背面に備える請求項１〜７のいずれか１項に記載の画像表示装置。
【請求項９】
前記表示パネルは液晶パネルであり、
前記液晶パネルを照射するバックライトと、
前記液晶パネルを制御する液晶制御手段と
前記バックライトを制御するバックライト制御手段と、
を更に備え、
前記測定手段による測定のために外部から光を入射させるときには、前記液晶制御手段は前記液晶パネルの透過率が最大になるように前記液晶パネルを制御し、前記バックライト制御手段は前記バックライトを消灯させる請求項１〜８のいずれか１項に記載の画像表示装置。
【請求項１０】
第１動作モードにおいて、前記キャリブレーション手段は、前記差分に基づき前記他の画像表示装置が前記他の画像表示装置のバックライトのキャリブレーションを行うために必要なデータを前記他の画像表示装置へ送信し、前記他の画像表示装置が前記他の画像表示装置のバックライトのキャリブレーションを完了した後、再び前記差分を算出し、当該算出した差分に基づき前記他の画像表示装置が前記他の画像表示装置の液晶パネルのキャリブレーションを行うために必要なデータを前記他の画像表示装置へ送信する請求項９に記載の画像表示装置。
【請求項１１】
前記表示パネルはＥＬパネルであり、
前記ＥＬパネルを制御するＥＬパネル制御手段を更に備え、
前記測定手段による測定のために外部から画像表示装置の内部へ光を入射させるときには、前記ＥＬパネル制御手段は前記ＥＬパネルを消灯する請求項１〜８のいずれか１項に
記載の画像表示装置。
【請求項１２】
入力される画像データに基づく画像を表示する表示パネルを備えた画像表示装置の制御方法であって、
画像表示装置の外部から前記表示パネルを透過して入射する光の輝度及び色度の少なくともいずれかを測定する測定工程と、
所定の基準光源の光を入射させたときの前記測定工程による測定値を基準値として記憶手段から読み込む工程と、
他の画像表示装置と通信する通信工程と、
画像表示装置のキャリブレーションを第１動作モードで行うことが可能なキャリブレーション工程と、
を有し、
前記第１動作モードでは、前記キャリブレーション工程は、前記基準光源の輝度及び色度に対応する所定の測定用画像を表示した状態の他の画像表示装置の画面からの光を入射させたときの前記測定工程による測定値を取得し、当該測定値と前記基準値との差分を算出し、前記差分に基づき前記他の画像表示装置が前記他の画像表示装置のキャリブレーションを行うために必要なデータを前記通信工程により前記他の画像表示装置へ送信する画像表示装置の制御方法。
【請求項１３】
前記キャリブレーション工程では前記キャリブレーションを第２動作モードで行うことが可能であって、
前記第２動作モードでは、前記キャリブレーション工程は、前記画像表示装置のキャリブレーションを行うために必要なデータを前記通信工程により他の画像表示装置から取得し、当該取得したデータに基づき前記画像表示装置のキャリブレーションを行う、請求項１２に記載の画像表示装置の制御方法。
【発明の詳細な説明】
【技術分野】
【０００１】
本発明は、画像表示装置及びその制御方法に関するものである。
【背景技術】
【０００２】
従来の画像表示装置のキャリブレーションでは、画像表示装置の画面の基準箇所（例えば画面中央部）で輝度や色度を測定し、その測定値が目標値に一致するように、画像データ、液晶駆動量、バックライト発光量等を補正する（例えば、特許文献１参照）。これにより、個体差や経時変化による輝度や色度のバラつきを均一化することができる。
【０００３】
また、複数の液晶表示装置の間で色を合わせる技術として、特許文献２に記載された技術がある。これは、画面の基準箇所での色度の測定値と、基準箇所を含む複数箇所での色度の測定値の平均値と、の差分で補正した目標色度と、基準箇所での色度と、が近付くように行うキャリブレーションを複数の液晶表示装置について繰り返す技術である。
【先行技術文献】
【特許文献】
【０００４】
【特許文献１】特開２００２−２０９２３０号公報
【特許文献２】特開２０１０−２１２９３７号公報
【発明の概要】
【発明が解決しようとする課題】
【０００５】
上記の従来のキャリブレーション技術では、画面の輝度や色度を測定するためのセンサや、センサによる測定値に基づきキャリブレーション処理を行うＰＣ（Ｐｅｒｓｏｎａｌ
Ｃｏｍｐｕｔｅｒ）等の機材を別途用意する必要がある。また、複数箇所の測定を行う技術はキャリブレーションのための作業が煩雑になってしまう。
可搬型の画像表示装置の普及により、キャリブレーションのための専用の環境を用意できない外出先でのキャリブレーションの必要性や、複数台の画像表示装置の間で輝度や色度を合わせる必要性が高まることが考えられる。
【０００６】
本発明はこのような事情に鑑みてなされたものであり、キャリブレーションのための特別な機材を別途用意しなくても簡便に画像表示装置のキャリブレーションを行うことができる技術を提供することを目的とする。
【課題を解決するための手段】
【０００７】
本発明は、入力される画像データに基づく画像を表示する表示パネルを備えた画像表示装置であって、
画像表示装置の外部から前記表示パネルを透過して入射する光の輝度及び色度の少なくともいずれかを測定する測定手段と、
所定の基準光源の光を入射させたときの前記測定手段による測定値を基準値として記憶する記憶手段と、
他の画像表示装置と通信する通信手段と、
画像表示装置のキャリブレーションを行うキャリブレーション手段と、
前記キャリブレーション手段を第１動作モードで動作させることが可能な制御手段と、を備え、
前記第１動作モードでは、前記キャリブレーション手段は、前記基準光源の輝度及び色度に対応する所定の測定用画像を表示した状態の他の画像表示装置の画面からの光を入射させたときの前記測定手段による測定値を取得し、当該測定値と前記基準値との差分を算出し、前記差分に基づき前記他の画像表示装置が前記他の画像表示装置のキャリブレーションを行うために必要なデータを前記通信手段を用いて前記他の画像表示装置へ送信する画像表示装置である。
【０００８】
本発明は、入力される画像データに基づく画像を表示する表示パネルを備えた画像表示装置の制御方法であって、
画像表示装置の外部から前記表示パネルを透過して入射する光の輝度及び色度の少なくともいずれかを測定する測定工程と、
所定の基準光源の光を入射させたときの前記測定工程による測定値を基準値として記憶手段から読み込む工程と、
他の画像表示装置と通信する通信工程と、
画像表示装置のキャリブレーションを第１動作モードで行うことが可能なキャリブレーション工程と、
を有し、
前記第１動作モードでは、前記キャリブレーション工程は、前記基準光源の輝度及び色度に対応する所定の測定用画像を表示した状態の他の画像表示装置の画面からの光を入射させたときの前記測定工程による測定値を取得し、当該測定値と前記基準値との差分を算出し、前記差分に基づき前記他の画像表示装置が前記他の画像表示装置のキャリブレーションを行うために必要なデータを前記通信工程により前記他の画像表示装置へ送信する画像表示装置の制御方法である。
【発明の効果】
【０００９】
本発明によれば、キャリブレーションのための特別な機材を別途用意しなくても簡便に画像表示装置のキャリブレーションを行うことができる。
【図面の簡単な説明】
【００１０】
【図１】実施例１の３つの動作モードを説明する図
【図２】実施例１の光センサ近傍の断面を示す概念図
【図３】実施例１の画像表示装置のブロック図
【図４】実施例１のキャリブレーション処理手順を示すシーケンス図
【図５】実施例１のキャリブレーション処理手順を示すシーケンス図
【図６】実施例１の画像表示装置の出射光の偏光角度を説明する図
【図７】実施例２の画像表示装置のブロック図
【図８】実施例２のキャリブレーション処理手順を示すシーケンス図
【発明を実施するための形態】
【００１１】
以下、本発明の具体的な実施例について図面を参照して詳細に説明する。以下で説明する実施例は、本発明の範囲を実施例に記載した範囲に限定することを意図するものではなく、本発明の実施形態の一例である。
【００１２】
（実施例１）
実施例１では、液晶パネルとバックライトを備えた画像表示装置に対する本発明の適用例について説明する。本実施例では、バックライトの光及び外部から入射する光を測定可
能な光センサを内蔵する画像表示装置を２台用いる。一方の画像表示装置の輝度及び色度を他方の画像表示装置の光センサにより測定し、その測定結果に基づき一方の画像表示装置をキャリブレーションする。本実施例では、同一構成の２台の画像表示装置を用いる場合を例に説明する。
【００１３】
本実施例に係る２台の画像表示装置１００ａ、１００ｂは、それぞれ３つの動作モードを切り替えて動作する。３つの動作モードは、通常動作モード、キャリブレーションモード、及び均一光入射モードである。通常動作モードでは、入力される画像データに基づく画像が画面に表示される。キャリブレーションモードでは、画像表示装置のキャリブレーション処理が行われる。均一光入射モードでは、基準光源の光を画像表示装置の画面全域に照射したときの光センサによる測定値から、キャリブレーションモードで用いる目標値（基準値）が作成され、記憶部に記憶される。
【００１４】
図１は、画像表示装置の３つの動作モードを説明する図である。なお、図１（Ａ）及び図１（Ｃ）においては、画像表示装置１００ａのみを記載しているが、画像表示装置１００ｂについても同様である。
図１（Ａ）は、通常動作モードで動作している画像表示装置１００ａを示す概念図である。図１（Ａ）において、画像表示装置１００ａは、画像ケーブル２０００でＰＣ１０００と接続され、ＰＣ１０００から入力される画像データに基づく画像を画面に表示する。画像ケーブル２０００は、例えば、ＤＶＩ（商標）やＤｉｓｐｌａｙＰｏｒｔ（商標）等である。
【００１５】
また、画像表示装置１００ａはネットワーク４０００を介してコンテンツサーバ３０００と接続しており、画像表示装置１００ａは、ユーザの操作に応じてコンテンツサーバ３０００から取得した画像データに基づく画像を表示する。また、ＰＣ１０００も同様にネットワーク４０００を介して画像表示装置１００ａに接続されており、画像表示装置１００ａは、ユーザの操作に基づいてＰＣ１０００から取得した画像データに基づく画像を表示する。
【００１６】
図１（Ｂ）は、キャリブレーションモードで動作している画像表示装置１００ａ及び画像表示装置１００ｂを示す概念図である。図１（Ｂ）において、画像表示装置１００ｂは画像表示装置１００ａと同型とする。なお、画像表示装置１００ａと画像表示装置１００ｂは、本発明に係る構成要素を共通に備えていれば、必ずしも同型でなくても良い。
ここでは説明の便宜上、画像表示装置１００ａは、既にキャリブレーションが完了しており、画像表示装置１００ｂは、キャリブレーションが行われていないものとする。すなわち、画像表示装置１００ｂがキャリブレーションの対象となる。
【００１７】
図１（Ｂ）に示すように、キャリブレーションモードでは、キャリブレーション済である画像表示装置１００ａがマスタ、キャリブレーション対象の画像表示装置１００ｂがスレーブとなる。マスタ側の画像表示装置１００ａがスレーブ側の画像表示装置１００ｂにキャリブレーション用のパッチ画像（測定用画像）の表示やバックライトの点灯を指示する。そして、スレーブ側の画像表示装置１００ｂの画面表示をマスタ側の画像表示装置１００ａの光センサにより測定する。マスタ側の画像表示装置１００ａがキャリブレーション結果をスレーブ側の画像表示装置１００ｂに送信することにより、スレーブ側の画像表示装置１００ｂのキャリブレーションが行われる。
【００１８】
キャリブレーション実行時は画像表示装置１００ａと画像表示装置１００ｂは互いに表示面を対向させ、互いになるべく近接させる。マスタ側の画像表示装置１００ａとスレーブ側の画像表示装置１００ｂとは無線又は有線によりデータや命令の通信を行う。
【００１９】
図１（Ｃ）は、均一光入射モードで動作している画像表示装置１００ａを示す概念図である。均一光入射モードでは、面光源である基準光源を用いて、基準光源の発光面と画像表示装置１００ａの画面（液晶パネル）とを近接させ対向させた状態で、画像表示装置１００ａの画面全域を照射する。そして、そのときに画像表示装置１００ａの外部から液晶パネルを透過して内部に入射した光を、画像表示装置１００ａに内蔵する光センサで測定する。そのために、均一光入射モードでは、画像表示装置は、液晶パネルの透過率が最大、かつ、バックライトを消灯した状態となることで、光センサで外部光が測定できる状態となる。均一光入射モードでは、光センサによる輝度及び色度の測定値を、キャリブレーションモードで画像表示装置１００ｂのキャリブレーションを行う際の基準値（目標値）として用いるために、均一光入射時テーブルとして画像表示装置１００ａの記憶部に記憶する。基準光源としては、輝度及び色度が均一になるよう予めキャリブレーションされた面光源を用いる。
【００２０】
均一光入射時テーブルは、画像表示装置を工場で製造する際に、均一光入射モードで画像表示装置を動作させることで作成され、記憶される。なお、使用過程においてユーザが自ら均一光入射時テーブルを再作成することができるように、画像表示装置を取り付け可能なドッキングステーションのような形態で基準光源がユーザに提供されるようにしても良い。
【００２１】
図２は、画像表示装置１００ａ及び画像表示装置１００ｂの断面の概念図である。図２に示すように、画像表示装置は、液晶パネル１０６とバックライト１１６を含み、バックライト１１６は複数のバックライト光源１０５及び反射板１１７を含む。複数のバックライト光源１０５は独立に発光量を制御可能である。画像表示装置内部には、バックライト光源１０５の近傍に配置された複数の光センサ１０７が設けられる。光センサ１０７は、近傍に設けられたバックライト光源１０５から受光できるように配置され、その測定値に基づきバックライト１１６の輝度及び色度を各バックライト光源１０５に対応するエリア毎に検出することができる。また、光センサ１０７は、画像表示装置の外部から液晶パネル１０６を透過して入射する光を受光できるように配置され、その測定値に基づき外部からの入射光の輝度及び色度を検出することができる。
【００２２】
バックライト光源１０５としては、例えば、ＬＥＤ（Ｌｉｇｈｔ−Ｅｍｉｔｔｉｎｇ  Ｄｉｏｄｅ、発光ダイオード）、ＣＣＦＬ（Ｃｏｌｄ  Ｃａｔｈｏｄｅ  Ｆｌｕｏｒｅｓｃｅｎｔ  Ｌａｍｐ、冷陰極管ランプ）を用いることができる。或いは、ＥＬ（Ｅｌｅｃｔｒｏ  Ｌｕｍｉｎｅｓｃｅｎｃｅ）パネル等を用いることもできる。なお、バックライト光源１０５として何を用いるかは本実施例では特に限定されない。
【００２３】
図３は、本実施例に係る画像表示装置１００ａのブロック図である。画像表示装置１００ａ及び画像表示装置１００ｂは同一構成であるから、ここでは画像表示装置１００ｂのブロック図については省略する。以下の説明において、添え字が「ｂ」の符号で表されるブロックは図示しないが、当該ブロックの機能は、数字が同じで添え字が「ａ」である画像表示装置１００ａのブロックと同じである。字前述の通り、本実施例では画像表示装置１００ａがキャリブレーション済みモニタとしてマスタ側となり、画像表示装置１００ｂがキャリブレーション対象としてスレーブ側になる場合を説明する。
【００２４】
（マスタ側画像表示装置）
まず、マスタ側である画像表示装置１００ａの構成について説明する。
外部入力部１０１ａは、モード移行制御部１１５ａの制御により、動作モードに応じて動作が切り替わる。
通常動作モードでは、外部入力部１０１ａは、外部からの入力信号を液晶制御部１０２ａ及びバックライト制御部１０３ａでの処理に適した信号に変換し、液晶制御部１０２ａ
及びバックライト制御部１０３ａに出力する。
キャリブレーションモード及び均一光入射モードでは、外部入力部１０１ａは機能を停止する。
【００２５】
液晶制御部１０２ａは、モード移行制御部１１５ａの制御により、動作モードに応じて動作が切り替わる。
通常動作モードでは、液晶制御部１０２ａは、外部入力部１０１ａから入力される画像信号に応じた液晶パネル１０６ａの駆動量を、記憶部１０４ａに記憶されている液晶補正テーブルの補正データを用いて補正し、液晶パネル１０６ａへ入力する。液晶補正テーブルは、個体差や経時変化による液晶パネル１０６ａの輝度及び色度のばらつきを補償するように画像信号に応じた液晶駆動量を補正するための補正データを格納するテーブルである。これにより、外部入力部１０１ａから入力される画像信号に基づく画像が、輝度や色度のムラが抑制された画質で液晶パネル１０６ａに表示される。
キャリブレーションモード（マスタ動作モード）及び均一光入射モードでは、液晶制御部１０２ａは、キャリブレーション制御部１０９ａの指示を受け、液晶パネル１０６ａの光透過率が最も高くなるように、液晶パネル１０６ａへ駆動信号を入力する。
【００２６】
バックライト制御部１０３ａは、モード移行制御部１１５ａの制御により、動作モードに応じて動作が切り替わる。
通常動作モードでは、バックライト制御部１０３ａは、外部入力部１０１ａから入力される画像信号に応じたバックライト光源１０５ａの発光量を、記憶部１０４ａに記憶されているバックライト補正テーブルの補正データを用いて補正する。そして、補正した発光量をバックライト光源１０５ａへ入力する。バックライト補正テーブルは、個体差や経時変化によるバックライト光源１０５ａの輝度及び色度のばらつきを補償するように画像信号に応じたバックライト光源の発光量を補正するための補正データを格納するテーブルである。これにより、外部入力部１０１ａから入力される画像信号に応じた発光量で、輝度や色度のムラが抑制された状態でバックライト１１６ａが発光する。
【００２７】
また、バックライト制御部１０３ａは、複数の光センサ１０７ａで測定したバックライト１１６ａ各部の輝度及び色度を、セレクタ１０８ａを制御して選択的に取得する。例えば、バックライト制御部１０３ａは、１番目の光センサ１０７ａからｎ番目の光センサ１０７ａまで順次、セレクタ１０８ａに信号を入力させる光センサ１０７ａを切り替えていくことで、ｎ個の光センサ１０７ａによる測定値を取得する。そして、取得した光センサ１０７ａによる測定値と、記憶部１０４ａに記憶されている基準値である輝度／色度目標値テーブルの値と、の差分を算出し、その差分が小さくなるようにバックライト光源１０５ａの発光量を補正するフィードバック制御を行う。輝度／色度目標値テーブルは、バックライト１１６の輝度及び色度の目標値が、光センサ１０７ａにより輝度及び色度の測定が行われる箇所毎に格納されたテーブルである。
【００２８】
バックライト制御部１０３ａによる比較演算は、光センサ１０７ａにより輝度及び色度の測定が行われる箇所毎に、光センサ１０７ａによる測定値と、輝度／色度目標値テーブルに格納された目標値と、の差分を計算することにより行われる。そのために、バックライト制御部１０３ａは、光センサ１０７ａの測定値と輝度／色度目標値テーブルとの比較演算の際、セレクタ１０８ａから測定値を出力させる光センサ１０７ａをｎ個の光センサ１０７ａのうちから選択する制御を行う。また、バックライト制御部１０３ａは、選択された光センサ１０７ａに対応する目標値のデータを輝度／色度目標値テーブルから抽出する制御を行う。
【００２９】
キャリブレーションモード（マスタ動作モード）及び均一光入射モードでは、バックライト制御部１０３ａは、キャリブレーション制御部１０９ａの制御により、バックライト
１１６ａを消灯する制御を行う。これにより、画像表示装置１００ｂからの入射光を光センサ１０７ａで受光できるようになる。
【００３０】
記憶部１０４ａは、液晶制御部１０２ａ、バックライト制御部１０３ａ、及びキャリブレーション制御部１０９ａのそれぞれから、内部バス１１４ａを介し、データの読み書きが行われる。
記憶部１０４ａは、液晶補正テーブル、バックライト補正テーブル、輝度／色度目標値テーブル、及び均一光入射時テーブルの記憶領域を有する。各テーブルは、画面の各エリアの位置を示す座標や、入力画像信号のレベルなどをキーとする、ルックアップテーブルとなっている。各テーブルの役割について以下に述べる。
【００３１】
液晶補正テーブルには、液晶パネル１０６ａの個体差による輝度及び色度のばらつきに応じて液晶パネル１０６ａの駆動量を補正するための補正データが格納されている。
バックライト補正テーブルには、バックライト光源１０５ａの個体差による輝度及び色度のばらつきに応じてバックライト光源１０５ａの発光量を補正するための補正データが格納されている。
輝度／色度目標値テーブルには、バックライト１１６ａの輝度及び色度の目標値が格納されている。バックライト１１６ａの各バックライト光源１０５ａの発光量は、光センサ１０７ａによる輝度及び色度の測定値がこの輝度／色度目標値テーブルに格納された目標値に近付くように調整される。
均一光入射時テーブルには、均一光入射モードで基準光源を画像表示装置１００ａの画面全域に照射したときの光センサ１０７ａによる測定値が格納されている。キャリブレーションモードにおいては、この均一光入射時テーブルの値を基準値（目標値）として、スレーブ側の画像表示装置のキャリブレーションが行われる。
【００３２】
バックライト１１６ａは、バックライト制御部１０３ａの制御により発光し、液晶パネル１０６ａを背面から照射する。バックライト１１６ａは独立に発光量を制御可能な複数のバックライト光源１０５ａを有する。バックライト光源１０５ａとしては、冷陰極管ランプ（ＣＣＦＬ）や発光ダイオード（ＬＥＤ）などを用いることができるが、本実施例では光源の種類は特に限定されない。
【００３３】
液晶パネル１０６ａは、液晶制御部１０２ａから入力される駆動信号に応じて液晶の配向が制御されることで、光透過率が変化する。
【００３４】
光センサ１０７ａは、画像表示装置内部に複数配置され（本実施例ではｎ個とする）、バックライト光源１０５ａからの光及び画像表示装置外部から液晶パネル１０６ａを通して入射する光を受光かのうである。光センサ１０７ａが配置されているエリア毎に測定される輝度及び色度は、セレクタ１０８ａに出力される。
【００３５】
セレクタ１０８ａは、モード移行制御部１１５ａの制御により、動作モードに応じて動作が切り替わる。
通常動作モードでは、セレクタ１０８ａは、複数の光センサ１０７ａからの輝度及び色度の測定値の入力を、バックライト制御部１０３ａの制御により時分割で切り替え、入力される測定値をバックライト制御部１０３ａに出力する。
キャリブレーションモード（マスタ動作モード）では、セレクタ１０８ａは、複数の光センサ１０７ａからの測定値の入力を、キャリブレーション制御部１０９ａの制御により時分割で切り替え、入力される測定値をキャリブレーション演算部１１１ａに出力する。
均一光入射モードでは、セレクタ１０８ａは、複数の光センサ１０７ａからの測定値の入力を、キャリブレーション制御部１０９ａの制御により時分割で切り替え、入力される測定値をキャリブレーション制御部１０９ａに出力する。
【００３６】
なお、このセレクタ１０８ａは複数の光センサ１０７ａとバックライト制御部１０３ａやキャリブレーション制御部１０９ａとの配線数を低減するために設けたものである。セレクタ１０８ａを用いず、複数の光センサ１０７ａとバックライト制御部１０３ａやキャリブレーション制御部１０９ａとを独立の配線で接続するようにしても良い。
【００３７】
キャリブレーション制御部１０９ａは、モード移行制御部１１５ａの制御により、動作モードに応じて動作が切り替わる。
通常動作モードでは、キャリブレーション制御部１０９ａは、機能を停止する。
キャリブレーションモード（マスタ動作モード）では、キャリブレーション制御部１０９ａは、画像表示装置１００ｂから出射される光を光センサ１０７ａで受光できるように、液晶制御部１０２ａ及びバックライト制御部１０３ａを制御する。
【００３８】
また、キャリブレーション制御部１０９ａは、セレクタ１０８ａを制御し、複数の光センサ１０７ａから入力される輝度及び色度の測定値を時分割でキャリブレーション演算部１１１ａに出力させる。
また、キャリブレーション制御部１０９ａは、キャリブレーション設定値決定部１１０ａから入力された値を送信部１１２ａに送信する。
また、キャリブレーション制御部１０９ａは、送信部１１２ａ及び受信部１１３ａを用いて画像表示装置１００ｂと通信を行い、画像表示装置１００ａ、１００ｂがそれぞれキャリブレーション済み又はキャリブレーション未実行のいずれであるか確認する。
【００３９】
また、キャリブレーション制御部１０９ａは、キャリブレーション済みの画像表示装置１００ａをマスタ側の画像表示装置、キャリブレーション未実行の画像表示装置１００ｂをスレーブ側の画像表示装置として決定する。そして、キャリブレーション制御部１０９ａは、スレーブ側に決定した画像表示装置１００ｂに対して、スレーブ動作モードへの移行要求を送信する。
【００４０】
均一光入射モードでは、キャリブレーション制御部１０９ａは、基準光源から出射される光を画像表示装置１００ａ内部に入射させ、光センサ１０７ａで受光できるように液晶制御部１０２ａ及びバックライト制御部１０３ａを制御する。また、キャリブレーション制御部１０９ａは、セレクタ１０８ａを制御し、複数の光センサ１０７ａから入力される輝度及び色度の測定値を時分割でキャリブレーション制御部１０９ａに出力させる。
また、キャリブレーション制御部１０９ａは、セレクタ１０８ａから取得した光センサ１０７ａの測定値を、均一光入射時テーブルとして、記憶部１０４ａに格納する。
【００４１】
また、画像表示装置１００ａから制御可能な基準光源を用いる場合、キャリブレーション制御部１０９ａは、送信部１１２ａより基準光源へ制御信号を送信し、基準光源を所定の複数の輝度レベルで発光させる。そして、複数の輝度レベルの各々について均一光入射時テーブルを作成する。或いは、輝度又は色度の少なくともいずれかが異なる複数の基準光源を用いて、各基準光源に関するキャリブレーションのための基準値として均一光入射時テーブルを作成する。そして、キャリブレーションを行う基準光源毎に、その基準光源に対応する均一光入射時テーブルと、その基準光源の輝度及び色度に対応する色票を画像表示装置１００ｂに表示させたときの光センサ１０７ａによる測定値と、の差分を計算する。この差分に基づき、画像表示装置１００ｂのキャリブレーションを行う。これにより、輝度カーブや色度カーブのキャリブレーションが可能になる。なお、基準光源としては、予め所定の輝度及び色度で均一になるようにキャリブレーションされた面光源であれば、必ずしも画像表示装置１００ａから制御可能である必要はない。
【００４２】
キャリブレーション設定値決定部１１０ａは、モード移行制御部１１５ａの制御により
、動作モードに応じて動作が切り替わる。
通常動作モード及び均一光入射モードでは、キャリブレーション設定値決定部１１０ａは機能を停止する。
キャリブレーションモード（マスタ動作モード）では、キャリブレーション設定値決定部１１０ａは、画像表示装置１００ｂのバックライト１１６ｂの新たな発光量及び液晶パネル１０６ｂの新たな液晶駆動量を決定する。この処理は、キャリブレーション演算部１１１ａから入力される演算結果を元に行われる。
【００４３】
キャリブレーション演算部１１１ａは、モード移行制御部１１５ａの制御により、動作モードに応じて動作が切り替わる。
通常動作モード及び均一光入射モードでは、キャリブレーション演算部１１１ａは機能を停止する。
キャリブレーションモード（マスタ動作モード）では、キャリブレーション演算部１１１ａは、セレクタ１０８ａから入力された光センサ１０７ａの測定値と記憶部１０４ａの均一光入射時テーブルに格納されている値との差分を演算する。そして、演算結果をキャリブレーション設定値決定部１１０ａに出力する。
【００４４】
送信部１１２ａ及び受信部１１３ａは、モード移行制御部１１５ａの制御により、動作モードに応じて動作が切り替わる。
通常動作モードでは、送信部１１２ａ及び受信部１１３ａは機能を停止する。
キャリブレーションモード（マスタ動作モード）では、キャリブレーション制御部１０９ａにより画像表示装置１００ｂとの間の通信が確立され、送信部１１２ａ及び受信部１１３ａは、画像表示装置１００ｂとデータの送受信を行うために用いられる。
なお、画像表示装置１００ａと画像表示装置１００ｂとの通信インターフェースや、制御可能な基準光源を用いる場合の画像表示装置１００ａと基準光源との間の通信インターフェースは、近接無線通信が望ましいが、有線でも良く、本実施例では特に限定されない。
【００４５】
均一光入射モードでは、キャリブレーション制御部１０９ａにより画像表示装置１００ａと基準光源との間の通信が確立され、送信部１１２ａ及び受信部１１３ａは、基準光源に制御コマンドを送信するために用いられる。なお、制御可能な基準光源を用いない場合、送信部１１２ａ及び受信部１１３ａは、基準光源との通信インターフェースとしての機能を有している必要はない。
【００４６】
内部バス１１４ａは、液晶制御部１０２ａ、バックライト制御部１０３ａ、記憶部１０４ａ、セレクタ１０８ａ、キャリブレーション制御部１０９ａ、キャリブレーション演算部１１１ａ、モード移行制御部１１５ａに接続される。これら画像表示装置１００ａの各機能部同士は、内部バス１１４ａを介して、各種制御コマンドやデータの授受を行うことができる。
【００４７】
モード移行制御部１１５ａは、図示しないユーザーインターフェースを介して入力されるモード切替指示により、動作モードに応じて動作が切り替わる各機能部に対して、指示された動作モードへの移行制御を行う。上記のように、本実施例の画像表示装置１００ａは、通常動作モード、キャリブレーションモード、及び均一光入射モードの３つの動作モードのいずれかに切り替えて動作する。動作モードに応じて動作が切り替わるは機能部は、画像表示装置１００ａの場合、以下の機能部である。外部入力部１０１ａ、液晶制御部１０２ａ、バックライト制御部１０３ａ、セレクタ１０８ａ、キャリブレーション制御部１０９ａ、キャリブレーション設定値決定部１１０ａ、キャリブレーション演算部１１１ａ、送信部１１２ａ、及び受信部１１３ａ。
【００４８】
（スレーブ側画像表示装置）
次に、スレーブ側である画像表示装置１００ｂの構成について説明する。
以下の機能部は、マスタ側の画像表示装置１００ａと同様の動作となるため、説明を省略する。外部入力部１０１ｂ、記憶部１０４ｂ、バックライト光源１０５ｂ、バックライト１１６ｂ、液晶パネル１０６ｂ、光センサ１０７ｂ、送信部１１２ｂ、受信部１１３ｂ、内部バス１１４ｂ、モード移行制御部１１５ｂ。
【００４９】
液晶制御部１０２ｂは、通常動作モード及び均一光入射モードではマスタ側の液晶制御部１０２ａと同様の動作となるため説明を省略する。
キャリブレーションモード（スレーブ動作モード）では、液晶制御部１０２ｂは、キャリブレーション制御部１０９ｂの制御によりキャリブレーション用のパッチ画像（本実施例では白１００％ラスター画像）を液晶パネル１０６ｂに出力する。
【００５０】
その際、液晶制御部１０２ｂは、通常動作モードの場合と同様、記憶部１０４ｂの液晶補正テーブルから補正データを読み出し、液晶駆動量を補正する。また、マスタ側の画像表示装置１００ａからキャリブレーション設定値決定部１１０ａで決定された新たな液晶駆動量のデータが送信されてきた場合、それを新たな補正データとして液晶駆動量を補正する。これにより、画像表示装置１００ｂの画面から発せられる光の輝度及び色度が均一に所定の目標値に近付くよう液晶駆動量のフィードバック制御が行われる。
キャリブレーションモード終了時に、液晶制御部１０２ｂは、最終（最新）の補正データをもとに新たな液晶補正テーブルを作成し記憶部１０４ｂに書き込む。
【００５１】
バックライト制御部１０３ｂは、通常動作モード及び均一光入射モードではマスタ側のバックライト制御部１０３ａと同様の動作となるため説明を省略する。
キャリブレーションモード（スレーブ動作モード）では、バックライト制御部１０３ｂは、キャリブレーション制御部１０９ｂの制御によりキャリブレーション用のパッチ画像に対応する発光量でバックライト光源１０５ｂを発光させる。
【００５２】
その際、バックライト制御部１０３ｂは、通常動作モードの場合と同様、記憶部１０４ｂのバックライト補正テーブルから補正データを読み出し、バックライト光源１０５ｂの発光量を補正する。また、マスタ側の画像表示装置１００ａからキャリブレーション設定値決定部１１０ａで決定された発光量のデータが送信されてきた場合、それを新たな補正データとしてバックライト光源１０５ｂの発光量を補正する。これにより、画像表示装置１００ｂの画面から発せられる光の輝度及び色度が均一に所定の目標値に近付くようバックライト光源１０５ｂの発光量をフィードバック制御が行われる。
キャリブレーションモード終了時に、バックライト制御部１０３ｂは、最終（最新）の補正データをもとに新たなバックライト補正テーブルを作成し記憶部１０４ｂに書き込む。
【００５３】
セレクタ１０８ｂは、通常動作モード及び均一光入射モードでは、マスタ側のセレクタ１０８ａと同様の動作となるため説明を省略する。
キャリブレーションモード（スレーブ動作モード）においては、セレクタ１０８ｂは、バックライト補正モードでキャリブレーション実行中は機能を停止する。バックライト補正モード終了後は、セレクタ１０８ｂは、複数の光センサ１０７ｂからの測定値の入力を、キャリブレーション制御部１０９ｂの制御により時分割で切り替え、入力される測定値をキャリブレーション制御部１０９ｂに出力する。
【００５４】
キャリブレーション制御部１０９ｂは、通常動作モード及び均一光入射モードでは、キャリブレーション制御部１０９ａと同様の動作となるため説明を省略する。
キャリブレーションモード（スレーブ動作モード）においては、キャリブレーション制
御部１０９ｂは、画像表示装置１００ｂをスレーブ側とする旨の決定に応じて、画像表示装置１００ｂをスレーブ動作モードに移行させる。画像表示装置１００ｂをスレーブ側とする旨の決定は、画像表示装置１００ａのキャリブレーション制御部１０９ａによりなされる。
【００５５】
また、キャリブレーション制御部１０９ｂは、キャリブレーション用のパッチ画像を画像表示装置１００ｂに表示させるように、液晶制御部１０２ｂ及びバックライト制御部１０３ｂを制御する。
また、キャリブレーション制御部１０９ｂは、受信部１１３ｂから入力される、マスタ側の画像表示装置１００ａのキャリブレーション設定値決定部１１０ａで決定された液晶駆動量のデータを液晶制御部１０２ｂへ送信する。また、バックライト光源１０５ｂの発光量のデータをバックライト制御部１０３ｂへ送信する。
【００５６】
また、キャリブレーション制御部１０９ｂは、画像表示装置１００ａからのバックライト補正モード終了通知を受信すると、セレクタ１０８ｂを制御し、各光センサ１０７ｂの現在の測定値を記憶部１０４ｂの輝度／色度目標値テーブルに書き込む。そして、これを通常動作モードで用いる新たな目標値とする。
【００５７】
キャリブレーション設定値決定部１１０ｂ及びキャリブレーション演算部１１１ｂは、通常動作モード及び均一光入射モードでは、それぞれキャリブレーション設定値決定部１１０ａ及びキャリブレーション演算部１１１ａと同様の動作となるため説明を省略する。
キャリブレーションモード（スレーブ動作モード）では、キャリブレーション設定値決定部１１０ｂ及びキャリブレーション演算部１１１ｂは、機能を停止する。
【００５８】
図４、図５はキャリブレーションモードにおける画像表示装置１００ａ及び画像表示装置１００ｂのキャリブレーションの処理手順を示すシーケンス図である。
【００５９】
ステップＳ１０１ａでは、ユーザからの指示に応じて、モード移行制御部１１５ａは、画像表示装置１００ａを通常動作モードからキャリブレーションモードへ移行させる。また、画像表示装置１００ａは、画面を画像表示装置１００ｂの画面を対向させるようユーザに指示するメッセージを画面に表示する。
【００６０】
ステップＳ１０２ａでは、キャリブレーション制御部１０９ａは、送信部１１２ａを介して、画像表示装置１００ｂに対してキャリブレーションモード移行要求を送信する。
【００６１】
ステップＳ１０１ｂでは、モード移行制御部１１５ｂは、画像表示装置１００ａから受信部１１３ｂで受信した、キャリブレーションモード移行要求により、画像表示装置１００ｂをキャリブレーションモードに移行させる。
【００６２】
ステップＳ１０２ｂでは、キャリブレーション制御部１０９ｂは、送信部１１２ｂを介し、画像表示装置１００ａに対して、キャリブレーションモードに移行完了したことを送信する。
【００６３】
ステップＳ１０３ａでは、キャリブレーション制御部１０９ａは、画像表示装置１００ｂに対して、過去にキャリブレーションを実施したかどうかを問い合わせる、キャリブレーション実施確認要求を送信する。
【００６４】
ステップＳ１０３ｂでは、キャリブレーション制御部１０９ｂは、画像表示装置１００ａからのキャリブレーション実施確認要求により、過去のキャリブレーション実施状況に応じた回答を画像表示装置１００ａに対して送信する。ここでは、過去にキャリブレーシ
ョンが実施されていない場合を例に説明しているので、キャリブレーション制御部１０９ｂは、キャリブレーション未実施であることを画像表示装置１００ａに対して送信する。
【００６５】
ステップＳ１０４ａでは、キャリブレーション制御部１０９ａは、画像表示装置１００ｂがキャリブレーション未実施であることを受け、画像表示装置１００ａをマスタ側に、画像表示装置１００ｂをスレーブ側に決定する。なお、画像表示装置１００ｂがキャリブレーション実施済である場合には、このフローの処理を終了する。
【００６６】
ステップＳ１０５ａでは、キャリブレーション制御部１０９ａは、画像表示装置１００ｂに対して、スレーブ動作モード移行要求を送信する。
【００６７】
ステップＳ１０４ｂでは、キャリブレーション制御部１０９ｂは、画像表示装置１００ａからのスレーブ動作モード移行要求により、画像表示装置１００ｂをスレーブ動作モードに移行させる。
【００６８】
ステップＳ１０５ｂでは、キャリブレーション制御部１０９ｂは、スレーブ動作モードに移行完了したことを画像表示装置１００ａに対して、送信する。
【００６９】
ステップＳ１０６ａでは、キャリブレーション制御部１０９ａは、画像表示装置１００ｂがスレーブ動作モードに移行完了したことを確認し、画像表示装置１００ａをマスタ動作モードに移行させる。
【００７０】
ステップＳ１０７ａでは、キャリブレーション制御部１０９ａは、キャリブレーション項目の一つである、バックライトの輝度及びムラ補正を実行するため、バックライト補正モードに移行する。
【００７１】
ステップＳ１０８ａでは、キャリブレーション制御部１０９ａは、画像表示装置１００ｂに対して、バックライト補正モード移行要求を送信する。
【００７２】
ステップＳ１０６ｂでは、キャリブレーション制御部１０９ｂは、画像表示装置１００ａからのバックライト補正モード移行要求により、バックライト補正モードに移行する。
【００７３】
ステップＳ１０７ｂでは、キャリブレーション制御部１０９ｂは、画像表示装置１００ａに対して、バックライト補正モード移行完了通知を送信する。
【００７４】
ステップＳ１０９ａでは、キャリブレーション制御部１０９ａは、バックライト１１６ａを消灯するようにバックライト制御部１０３ａを制御する。また、液晶制御部１０２ａを制御し、液晶パネル１０６ａを最も透過率が高くなる設定で駆動させる。これにより光センサ１０７ａは画像表示装置１００ａの外部から液晶パネル１０６ａを通して入射する光を受光できる状態となる。
【００７５】
ステップＳ１１０ａでは、キャリブレーション制御部１０９ａは、画像表示装置１００ｂに対して、キャリブレーション用のパッチ画像（ここでは白１００％ラスター画像）を表示するよう、パッチ画像出力要求を送信する。ここで、パッチ画像は、均一光入射モードで均一光入射時テーブルを作成した際に用いた基準光源の輝度レベルに対応する画像である。複数の輝度レベルの基準光源で均一光入射時テーブルを作成した場合には、キャリブレーション制御部１０９ａは、複数のパッチ画像からキャリブレーションを行う輝度レベルに対応したパッチ画像を表示するよう指示する。
【００７６】
ステップＳ１０８ｂでは、キャリブレーション制御部１０９ｂは、液晶パネル１０６ｂ
を最も透過率が高くなる設定で駆動する。ここで設定される透過率は、出力要求されたパッチ画像（白１００％ラスター画像）に応じて決定される。また、キャリブレーション制御部１０９ｂは、バックライト光源１０５ａを、現時点で記憶部１０４ｂに記憶されているバックライト補正テーブルの補正データを用いて補正した発光量で発光させる。ここで設定される発光量は、出力要求されたパッチ画像（白１００％ラスター画像）に応じて決定される。
【００７７】
ステップＳ１０９ｂでは、キャリブレーション制御部１０９ｂは、パッチ画像（白１００％ラスター画像）の出力が完了したことを画像表示装置１００ａに対して送信する。
【００７８】
ステップＳ１１１ａでは、キャリブレーション演算部１１１ａは、各光センサ１０７ａによる画像表示装置１００ｂからの入射光の輝度の測定値と、記憶部１０４ａの均一光入射時テーブルに格納されている輝度の値と、を比較演算する。また、キャリブレーション演算部１１１ａは、各光センサ１０７ａによる画像表示装置１００ｂからの入射光の色度の測定値と、記憶部１０４ａの均一光入射時テーブルに格納されている色度の値と、を比較演算する。そして、光センサ１０７ａの位置毎の輝度の差分及び色度の差分のテーブルデータを取得する。
【００７９】
ここで、均一光入射時テーブルは、前述のように、均一光入射モードで表示画面に対して基準光源により均一な輝度及び色度の光を照射したときの光センサ１０７ａによる輝度及び色度の測定値を格納している。均一光入射時テーブルは、各光センサ１０７ａの位置を表す情報（座標）をキーとするテーブルデータとして予め製造時に作成され、記憶部１０４ａに記憶される。
【００８０】
ステップＳ１１２ａでは、キャリブレーション演算部１１１ａは、ステップＳ１１１ａで取得した輝度の差分及び色度の差分のテーブルデータを、キャリブレーション設定値決定部１１０ａに入力する。そして、光センサ１０７ａによる輝度の測定値と均一光入射時テーブルの輝度の値との差分、及び、光センサ１０７ａによる色度の測定値と均一光入射時テーブルの色度の値との差分が小さくなる方向に、バックライト光源１０５ｂの発光量を決定する。
【００８１】
ここで、バックライト光源として単色光源を用いている場合は、キャリブレーション演算部１１１ａが決定する発光量は、当該単色光源の発光量である。バックライト光源として赤色ＬＥＤ、緑色ＬＥＤ、青色ＬＥＤ等のような多色光源を用いている場合は、キャリブレーション演算部１１１ａが決定する発光量は、各色光源の発光量である。
【００８２】
このように、光センサ１０７ａによる測定値と均一光入射時テーブルに格納されている値との差分を小さくするようにバックライト光源１０５ｂの発光量が調整される。これにより、バックライト１１６ｂが均一に所定の目標輝度及び目標色度となるようにキャリブレーションが行われる。
【００８３】
ステップＳ１１３ａでは、キャリブレーション制御部１０９ａは、新たに決定されたバックライト光源１０５ｂの発光量のデータを画像表示装置１００ｂに送信する。
【００８４】
ステップＳ１１０ｂでは、キャリブレーション制御部１０９ｂは、画像表示装置１００ａから受信したバックライト光源１０５ｂの発光量を、バックライト制御部１０３ｂに設定し、バックライト光源１０５ｂの発光量を変更（更新）する。
【００８５】
ステップＳ１１１ｂでは、キャリブレーション制御部１０９ｂは、画像表示装置１００ｂのバックライト光源１０５ｂの発光量を変更完了したことを、画像表示装置１００ａに
通知する。
【００８６】
ステップＳ１１１ａ〜ステップＳ１１１ｂを繰り返し実行し、キャリブレーション演算部１１１ａの出力する輝度の差分及び色度の差分がそれぞれ閾値以下となるように、バックライト光源１０５ｂの発光量を調整する。閾値は輝度の差分及び色度の差分それぞれについて予め定められた値であり、画像表示装置１００ａの記憶部１０４ａに記憶されている。キャリブレーション演算部１１１ａの出力する輝度の差分及び色度の差分がそれぞれの閾値以下となったら、キャリブレーション制御部１０９ａはバックライト補正モードを終了し、ステップＳ１１４ａに移行する。
【００８７】
なお、上記のバックライト補正モードの説明では、白１００％に対応する輝度及び色度についてのみキャリブレーションを行う例を示した。しかし、均一光入射時テーブルに予め複数の輝度レベルについてキャリブレーションの基準となるテーブルデータを持ち、複数の輝度レベルの各々についてステップＳ１１１ａ〜Ｓ１１１ｂを繰り返して輝度レベル毎に補正データを取得するようにしても良い。これにより、輝度カーブ及び色度カーブについてもキャリブレーションを行うことが可能である。
【００８８】
ステップＳ１１４ａでは、キャリブレーション制御部１０９ａは、画像表示装置１００ｂに対して、バックライト補正モードの終了通知を送信する。また、キャリブレーション項目の一つである、液晶パネルのムラ補正を実行するため、液晶補正モードへの移行要求を送信する。
【００８９】
ステップＳ１１２ｂでは、キャリブレーション制御部１０９ｂはバックライト補正モード終了通知を受信する。そして、バックライト制御部１０３ｂに対して、現在のバックライト光源１０５ｂの発光量を新たなバックライト補正テーブルの補正データとして記憶部１０４ｂに書き込むよう指示する。
また、キャリブレーション制御部１０９ｂは、現在のバックライト光源１０５ｂの発光量でバックライト光源１０５ｂを発光させたときの、各光センサ１０７ｂによる測定値を、セレクタ１０８ｂを制御して取得する。そして、取得した測定値により輝度／色度目標値テーブルを更新する。
【００９０】
これらの更新されたバックライト補正テーブル及び輝度／色度目標値テーブルは、それぞれ通常動作モードにおいてバックライト光源１０５ｂの発光量の補正のための新たな補正データ及びフィードバック制御のための新たな目標値として用いられる。
その後、キャリブレーション制御部１０９ｂは、バックライト補正モードを終了し（バックライトムラ補正完了）、液晶補正モードに移行する。
【００９１】
なお、本実施例のキャリブレーションのシーケンスにおいて、まずバックライト補正モードを実行し、続いて液晶補正モードを実行しているのは、バックライトの方が発行量の制御単位となるエリアの面積が大きいことによる。すなわち、まずバックライト補正モードで粗くムラ補正しておき、次に液晶補正モードで細かくムラ補正することにより、効率的なキャリブレーションを行うようにしている。
【００９２】
ステップＳ１１３ｂでは、キャリブレーション制御部１０９ｂは、画像表示装置１００ａに対し、液晶補正モードに移行完了したことを通知する。
【００９３】
ステップＳ１１５ａでは、キャリブレーション演算部１１１ａは、ステップＳ１１１ａ同様、各光センサ１０７ａによる画像表示装置１００ｂからの入射光の輝度の測定値と、記憶部１０４ａの均一光入射時テーブルに格納されている輝度の値と、を比較演算する。また、キャリブレーション演算部１１１ａは、各光センサ１０７ａによる画像表示装置１
００ｂからの入射光の色度の測定値と、記憶部１０４ａの均一光入射時テーブルに格納されている色度の値と、を比較演算する。そして、光センサ１０７ａの位置毎の輝度の差分及び色度の差分のテーブルデータを取得する。
【００９４】
ステップＳ１１６ａでは、キャリブレーション演算部１１１ａは、ステップＳ１１５ａで取得した輝度の差分及び色度の差分のテーブルデータを、キャリブレーション設定値決定部１１０ａに入力する。そして、光センサ１０７ａによる輝度の測定値と均一光入射時テーブルの輝度の値との差分、及び、光センサ１０７ａによる色度の測定値と均一光入射時テーブルの色度の値との差分が小さくなる方向に、新たに画像表示装置１００ｂの液晶駆動量を決定する。
ここで液晶駆動量は、液晶パネル１０６ｂのＲＧＢ各画素の駆動量である。
【００９５】
このように光センサ１０７ａによる測定値と均一光入射時テーブルに格納されている値との差分を小さくするように液晶パネル１０６ｂの液晶駆動量が調整される。これにより、先のバックライト補正モードで補正しきれなかった画像表示装置１００ｂの輝度及び色度のムラを補正するキャリブレーションを行うことができる。
【００９６】
ステップＳ１１７ａでは、キャリブレーション制御部１０９ａは、新たに決定された液晶駆動量のデータを画像表示装置１００ｂに送信する。
【００９７】
ステップＳ１１４ｂでは、キャリブレーション制御部１０９ｂは、画像表示装置１００ａから受信した液晶駆動量を、液晶制御部１０２ｂに設定し、液晶パネル１０６ａの駆動量を変更（更新）する。
【００９８】
ステップＳ１１５ｂでは、キャリブレーション制御部１０９ｂは、画像表示装置１００ｂの液晶駆動量を変更完了したことを、画像表示装置１００ａに通知する。
【００９９】
ステップＳ１１５ａ〜ステップＳ１１５ｂを繰り返し実行し、キャリブレーション演算部１１１ａの出力する輝度の差分及び色度の差分がそれぞれ閾値以下となるように、液晶パネル１０６ｂの駆動量を調整する。閾値は輝度の差分及び色度の差分それぞれについて予め定められた値であり、画像表示装置１００ａの記憶部１０４ａに記憶されている。キャリブレーション演算部１１１ａの出力する輝度の差分及び色度の差分がそれぞれの閾値以下となったら、キャリブレーション制御部１０９ａは液晶補正モードを終了し、ステップＳ１１８ａに移行する。なお、液晶補正モードの終了を判断するために用いる閾値と、上述したバックライト補正モードの終了を判断するために用いる閾値は、それぞれ独立に定められる。
【０１００】
なお、均一光入射時テーブルに予め複数の輝度レベルについてキャリブレーションの基準となるテーブルデータを持ち、複数の輝度レベルの各々についてステップＳ１１５ａ〜Ｓ１１５ｂを繰り返して輝度レベル毎に補正データを取得しても良い。これにより、輝度カーブ及び色度カーブについてもキャリブレーションを行うことが可能である。これは、バックライト補正モードと同様である。
【０１０１】
ステップＳ１１８ａでは、キャリブレーション制御部１０９ａは、画像表示装置１００ｂに対して、液晶補正モードの終了要求を送信する。
【０１０２】
ステップＳ１１６ｂでは、キャリブレーション制御部１０９ｂは、液晶補正モード終了を受信する。そして、液晶制御部１０２ｂに対して、現在の液晶駆動量を新たな液晶補正テーブルの補正データとして記憶部１０４ｂに書き込むよう指示して、キャリブレーションモードを終了する。
【０１０３】
ステップＳ１１７ｂでは、キャリブレーション制御部１０９ｂは、画像表示装置１００ａに対して、キャリブレーションモードを終了したことを通知する。
【０１０４】
ステップＳ１１９ａでは、キャリブレーション制御部１０９ａはキャリブレーションモードを終了する。
【０１０５】
ここで、液晶パネルを有する画像表示装置に適用する場合、液晶パネルから出射される光の偏光方向は特定の方向に制限されたものとなる。そのため、本発明を液晶パネルを有する画像表示装置に適用する場合には、画像表示装置１００ａと画像表示装置１００ｂの表示画面を対向させたときに、画像表示装置１００ｂからの出射光が画像表示装置１００ａ内に入射できるように留意する必要がある。
【０１０６】
そのために、例えば、図６（Ａ）に示すように、画像表示装置１００ａ及び画像表示装置１００ｂの出射光の偏光方向が両方とも鉛直方向に対して平行又は垂直の方向で揃うようにする。或いは、図６（Ｂ）に示すように、キャリブレーションを実施する際に、旋光性を有する物質を画像表示装置１００ａと画像表示装置１００ｂの間に挟み、画像表示装置１００ｂからの出射光の偏光方向を回転させる。そして、先行性物質を通過した光の偏光方向が画像表示装置１００ａからの出射光の偏光方向と揃うようにする。こうすることで、画像表示装置１００ｂからの出射光が画像表示装置１００ａ内に入射できるようになる。
【０１０７】
本実施例によれば、予め輝度及び色度が均一の基準光源により画面を照射したときの光センサによる測定値のデータを記憶している画像表示装置１００ａ自体をセンサ及びキャリブレーション演算手段として用いている。これにより、画像表示装置１００ａにより、同一構成の別の画像表示装置１００ｂのキャリブレーションを行うことができる。そのため、従来のキャリブレーション方法で必要であった専用のセンサやキャリブレーション演算を行うためのＰＣ等、特別な装置を用意することなく、簡便にキャリブレーションを実施することが可能となる。
【０１０８】
なお、本実施例におけるキャリブレーションの校正項目として、特定レベル（白１００％輝度）の輝度補正、色度補正、及びムラ補正を行う例を示した。しかし、複数の輝度レベルや複数の色度について均一光入射時テーブルを作成し画像表示装置に記憶させ、複数の輝度レベルや複数の色度について上述の方法でキャリブレーションを実施することで、校正項目として輝度カーブや色度カーブを加えてもよい。また、温度センサを内蔵し、温度毎に均一光入射時テーブルを作成し記憶させ、温度毎にキャリブレーションを行うことで、校正項目として温度補正を加えてもよい。
【０１０９】
また、本実施例では、ユーザの指示により通常動作モードからキャリブレーションモードへ移行する例を示した。しかし、画像表示装置に実装したセンサにより、ユーザが２台の画像表示装置の表示画面同士を対向させたときにこれを検知、自動的にキャリブレーションモードに移行しキャリブレーションを開始するようにしてもよい。また、画像表示装置の背面に、キャリブレーションの進捗状況（例えば、実行中、終了など）を通知するインジケータを実装してもよい。これにより、ユーザは、画面同士を対向させている２台の画像表示装置で実行中のキャリブレーションの進捗状況を確認することができる。
【０１１０】
（実施例２）
実施例２では、ＥＬ（Ｅｌｅｃｔｒｏ−Ｌｕｍｉｎｅｓｃｅｎｃｅ）パネルを使用した画像表示装置に対する本発明の適用例について説明する。液晶パネルを用いた画像表示装置に対する適用例（実施例１）では、キャリブレーションの実行時に２台の画像表示装置
からの出射光の偏光方向が合うようにする必要があった。これに対し、本実施例に係る画像表示装置は液晶パネルを用いていないので、偏光方向を合わせる必要がなくなり、画像表示装置の構成及びキャリブレーション実行時に考慮すべき制約が少なくなる。
【０１１１】
図７は、実施例２に係る画像表示装置２００ａのブロック図である。図７において、実施例１の画像表示装置と同一の機能を持ち、同一の動作をするブロックについては、図３と同一の符号を付し、説明を省略する。マスタ側の画像表示装置２００ａとスレーブ側の画像表示装置２００ｂ（後述）とは同一の構成であるから図７では画像表示装置２００ｂのブロック図を省略した。以下の説明において、添え字が「ｂ」の符号で表されるブロックは図示しないが、当該ブロックの機能は、数字が同じで添え字が「ａ」である画像表示装置２００ａのブロックと同じである。
【０１１２】
まず、マスタ側である画像表示装置２００ａの構成について説明する。
ＥＬパネル制御部２０２ａは、モード移行制御部１１５ａの制御により、動作モードに応じて動作が切り替わる。
【０１１３】
通常動作モードでは、ＥＬパネル制御部２０２ａは、外部入力部１０１ａから入力される画像信号に応じたＥＬパネル２０６ａの駆動量を、記憶部１０４ａに記憶されているＥＬパネル補正テーブルの補正データを用いて補正し、ＥＬパネル２０６ａへ入力する。ＥＬパネル補正テーブルは、個体差や経時変化によるＥＬパネル２０６ａの輝度及び色度のばらつきを補償するように画像信号に応じたＥＬパネル駆動量を補正するための補正データを格納するテーブルである。これにより、外部入力部１０１ａから入力される画像信号に基づく画像が、輝度や色度のムラが抑制された画質でＥＬパネル２０６ａに表示される。
また、キャリブレーションモード（マスタ動作モード）及び均一光入射モードでは、ＥＬパネル制御部２０２ａは、キャリブレーション制御部１０９ａの指示を受け、ＥＬパネル２０６ａを消灯する。
【０１１４】
ＥＬパネル２０６ａは、ＥＬパネル制御部２０２ａから入力される駆動信号に応じて発光する。
【０１１５】
次に、スレーブ側である画像表示装置２００ｂのブロックについて説明する。
ＥＬパネル制御部２０２ｂは、通常動作モード及び均一光入射モードではマスタ側のＥＬパネル制御部２０２ａと同様の動作となるため、説明を省略する。
【０１１６】
キャリブレーションモード（スレーブ動作モード）では、ＥＬパネル制御部２０２ｂは、キャリブレーション制御部１０９ｂの制御によりキャリブレーション用のパッチ画像（本実施例では白１００％ラスター画像）をＥＬパネル２０６ｂに出力する。
【０１１７】
その際、ＥＬパネル制御部２０２ｂは、通常動作モードの場合と同様、記憶部１０４ｂのＥＬパネル補正テーブルから補正データを読み出し、ＥＬパネル駆動量を補正する。また、マスタ側の画像表示装置２００ａからキャリブレーション設定値決定部１１０ａで決定された新たなＥＬパネル駆動量のデータが送信されてきた場合、それを新たな補正データとしてＥＬパネル駆動量を補正する。これにより、画像表示装置２００ｂの画面から発せられる光の輝度及び色度が均一に所定の目標値に近付くようにＥＬパネル駆動量のフィードバック制御が行われる。
キャリブレーションモード終了時に、ＥＬパネル制御部２０２ｂは、最終（最新）の補正データをもとに新たなＥＬパネル補正テーブルを作成し記憶部１０４ｂに書き込む。
【０１１８】
ＥＬパネル２０６ｂは、マスタ側のＥＬパネル２０６ａと同様の動作となるため説明を
省略する。
【０１１９】
図８はキャリブレーション実行時における画像表示装置２００ａ、及び画像表示装置２００ｂのキャリブレーション手順を示すシーケンス図である。
図８において、ステップＳ１０１ａ〜Ｓ１０６ａまでは、第一の実施例と同一の動作となるため、説明を省略する。
【０１２０】
ステップＳ２０７ａでは、キャリブレーション制御部１０９ａは、ＥＬパネルの輝度／ムラ補正を実行するため、ＥＬパネル補正モードに移行する。
【０１２１】
ステップＳ２０８ａでは、キャリブレーション制御部１０９ａは、画像表示装置２００ｂに対して、ＥＬパネル補正モード移行要求を送信する。
【０１２２】
ステップＳ２０６ｂでは、キャリブレーション制御部１０９ｂは、画像表示装置２００ａからのＥＬパネル補正モード移行要求により、ＥＬパネル補正モードに移行する。
【０１２３】
ステップＳ２０７ｂでは、キャリブレーション制御部１０９ｂは、画像表示装置２００ａに対して、ＥＬパネル補正モード移行完了通知を送信する。
【０１２４】
ステップＳ２０９ａでは、キャリブレーション制御部１０９ａは、ＥＬパネル２０６ａを消灯するように、ＥＬパネル制御部２０２ａを制御する。これにより光センサ１０７ａは画像表示装置２００ａの外部からＥＬパネル２０６ａを通して入射する光を受光できる状態となる。
【０１２５】
ステップＳ２１０ａでは、キャリブレーション制御部１０９ａは、画像表示装置２００ｂに対して、キャリブレーション用のパッチ画像（ここでは白１００％ラスター画像）を表示するよう、パッチ画像出力要求を送信する。ここで、パッチ画像は、均一光入射モードで均一光入射テーブルを作成した際に用いた基準光源の輝度レベルに対応する画像である。
【０１２６】
ステップＳ２０８ｂでは、キャリブレーション制御部１０９ｂは、ＥＬパネル２０６ｂを、現時点で記憶部１０４ｂに記憶されているＥＬパネル補正テーブルの補正データを用いて補正したＥＬパネル駆動量で発光させる。ここで設定されるＥＬパネル駆動量は、出力要求されたパッチ画像（白１００％ラスター画像）に応じて決定される。
【０１２７】
ステップＳ２０９ｂでは、キャリブレーション制御部１０９ｂは、パッチ画像（白１００％ラスター画像）の出力が完了したことを画像表示装置２００ａに対して送信する。
【０１２８】
ステップＳ２１１ａでは、キャリブレーション演算部１１１ａは、各光センサ１０７ａによる画像表示装置２００ｂからの入射光の輝度の測定値と、記憶部１０４ａの均一光入射時テーブルに格納されている輝度の値と、を比較演算する。また、キャリブレーション演算部１１１ａは、各光センサ１０７ａによる画像表示装置２００ｂからの入射光の色度の測定値と、記憶部１０４ａの均一光入射時テーブルに格納されている色度の値と、を比較演算する。そして、光センサ１０７ａの位置毎の輝度の差分及び色度の差分のテーブルデータを取得する。
【０１２９】
ステップＳ２１２ａでは、キャリブレーション演算部１１１ａは、ステップＳ２１１ａで取得した輝度の差分及び色度の差分のテーブルデータを、キャリブレーション設定値決定部１１０ａに入力する。そして、光センサ１０７ａによる輝度の測定値と均一光入射時テーブルの輝度の値との差分、及び、光センサ１０７ａによる色度の測定値と均一光入射
時テーブルの色度の値との差分が小さくなる方向に、新たに画像表示装置２００ｂのＥＬパネル駆動量を決定する。ここでＥＬパネル駆動量は、ＥＬパネルのＲＧＢ各画素の発光量を指す。
【０１３０】
ステップＳ２１３ａでは、キャリブレーション制御部１０９ａは、新たに決定されたＥＬパネル駆動量のデータを画像表示装置２００ｂに送信する。
【０１３１】
ステップＳ２１０ｂでは、キャリブレーション制御部１０９ｂは、画像表示装置２００ａから受信したＥＬパネル駆動量を、ＥＬパネル制御部２０２ｂに設定し、ＥＬパネル２０６ｂの駆動量を変更（更新）する。
【０１３２】
ステップＳ２１１ｂでは、キャリブレーション制御部１０９ｂは、画像表示装置２００ｂのＥＬパネル駆動量を変更完了したことを、画像表示装置２００ａに通知する。
【０１３３】
ステップＳ２１１ａ〜ステップＳ２１１ｂを繰り返し実行し、キャリブレーション演算部１１１ａの出力する輝度の差分及び色度の差分がそれぞれ閾値以下となるように、ＥＬパネル２０６ｂの駆動量を調整する。閾値は輝度の差分及び色度の差分それぞれについて予め定められた値であり、画像表示装置２００ａの記憶部１０４ａに記憶されている。キャリブレーション演算部１１１ａの出力する輝度の差分及び色度の差分がそれぞれの閾値以下となったら、キャリブレーション制御部１０９ａはＥＬパネル補正モードを終了し、ステップＳ２１４ａに移行する。
【０１３４】
なお実施例１と同様、ここでは白１００％に対応する輝度及び色度についてのみキャリブレーションを行う例を示した。しかし、均一光入射時テーブルに予め複数の輝度レベルについてキャリブレーションの基準となるテーブルデータを持ち、複数の輝度レベルの各々についてステップＳ２１１ａ〜Ｓ２１１ｂを繰り返して輝度レベル毎に補正データを取得しても良い。これにより、輝度カーブ及び色度カーブについてもキャリブレーションを行うことが可能である。
【０１３５】
ステップＳ２１４ａでは、キャリブレーション制御部１０９ａは、画像表示装置２００ｂに対して、ＥＬパネル補正モードの終了要求を送信する。
【０１３６】
ステップＳ２１２ｂでは、キャリブレーション制御部１０９ｂは、ＥＬパネル補正モード終了要求を受信する。そして、ＥＬパネル制御部２０２ｂに対して、現在のＥＬパネル駆動量を新たなＥＬパネル補正テーブルの補正データとして記憶部１０４ｂに書き込むよう指示する。
また、キャリブレーション制御部１０９ｂは、現在のＥＬパネル駆動量でＥＬパネル２０６ｂを発光させたときの、各光センサ１０７ｂによる測定値を、セレクタ１０８ｂを制御して取得し、取得した測定値により輝度／色度目標値テーブルを更新する。
【０１３７】
これらの更新されたＥＬパネル補正テーブル及び輝度／色度目標値テーブルは、それぞれ通常動作モードにおいてＥＬパネル２０６ｂの駆動量の補正のための新たな補正データ及びフィードバック制御のための新たな目標値として用いられる。その後、ＥＬパネル補正モードを終了する。
【０１３８】
ステップＳ２１３ｂでは、キャリブレーション制御部１０９ｂは画像表示装置２００ａに対してキャリブレーションモードを終了したことを通知する。
【０１３９】
ステップＳ２１５ａでは、キャリブレーション制御部１０９ａはキャリブレーションモードを終了する。
【０１４０】
このように自発光型の表示パネルを用いた画像表示装置であっても、表示パネル内に配置した光センサにより外部から表示パネルを通過して入射する光を受光しその輝度や色度を測定することが可能であれば、本発明を適用することができる。そして、キャリブレーションのためのセンサやＰＣ等の特別の機材を用意しなくても簡便にキャリブレーションを行うことができる。
【０１４１】
なお、上記の各実施例では、マスタ側の画像表示装置をキャリブレーション済であるとしたが、キャリブレーションが済んでいない画像表示装置であってもマスタ側として機能し得る。すなわち、マスタ側の画像表示装置は、スレーブ側の画像表示装置からの入射光の測定、測定値と均一光入射時テーブルとの差分の計算、及び差分に基づくバックライト発光量や液晶駆動量等の各種制御値の補正ができればよい。
【０１４２】
また、上記の各実施例では、マスタ側の画像表示装置が、スレーブ側の画像表示装置からの入射光の測定、測定値と均一光入射時テーブルとの差分の計算、及び差分に基づく各種制御値の補正を行い、補正後の新しい制御値をスレーブ側の画像表示装置へ送信した。しかし、例えば、マスタ側の画像表示装置では差分の計算まで行い、差分をスレーブ側の画像表示装置へ送信し、スレーブ側の画像表示装置で差分に基づく各種制御値の補正を行うようにしても良い。また、マスタ側の画像表示装置ではスレーブ側の画像表示装置からの入射光の測定まで行い、測定値をスレーブ側の画像表示装置へ送信し、スレーブ側の画像表示装置で差分の計算及び差分に基づく各種制御値の補正を行うようにしても良い。ただしこの場合、異なる画像表示装置に同一条件の基準光源を照射したときの光センサによる測定値が同一になるように、製造時等に画像表示装置間でのセンサ出力のばらつきを解消しておくことが望ましい。
【符号の説明】
【０１４３】
１００  画像表示装置（液晶）、１０４  記憶部、１０６  液晶パネル、１０７  光センサ、１０９  キャリブレーション制御部、１１０  キャリブレーション設定値決定部、１１１  キャリブレーション演算部、１１２  送信部、１１３  受信部
【図１】
0005836758.tif 000002
【図２】
0005836758.tif 000003
【図３】
0005836758.tif 000004
【図４】
0005836758.tif 000005
【図５】
0005836758.tif 000006
【図６】
0005836758.tif 000007
【図７】
0005836758.tif 000008
【図８】
0005836758.tif 000009